(57)【要約】      （修正有）【課題】ネックレスを身に付けたときに、見た目や着け心地を損なわないで位置ズレを防止するネックレスのズレ防止具を提供する。【解決手段】ネックレス１００のズレ防止具３００は、内部にチェーン１１０の一端が任意の位置で係止可能に通され、外部にチェーン１１０の他端を掛けるための留金２００が連結されたスライドアジャスタ２３０と、スライドアジャスタ２３０内を通されたチェーン１１０の先端に取り付けられ固定マグネット３２０と、固定マグネット３２０に引き付けられる挟持マグネット３３０と、を有し、スライドアジャスタ２３０から固定マグネット３２０までの長さを調整した上で、固定マグネット３２０と挟持マグネット３３０とで衣服を挟むことにより、ネックレスの位置がずれないように保持する。【選択図】図２
0003217061.tif 000002
【実用新案登録請求の範囲】
【請求項１】
内部にチェーンの一端が任意の位置で係止可能に通され、外部に前記チェーンの他端を掛けるための留金が連結されたスライドアジャスタと、
前記スライドアジャスタ内を通された前記チェーンの先端に取り付けられ固定マグネットと、
前記固定マグネットに引き付けられる挟持マグネットと、を有し、
前記スライドアジャスタから前記固定マグネットまでの長さを調整した上で、前記固定マグネットと前記挟持マグネットとで衣服を挟むことにより、ネックレスの位置がずれないように保持する、
ことを特徴とするネックレスのズレ防止具。
【請求項２】
チェーンの留具から延設された固定マグネットと、
前記固定マグネットと連結されていない挟持マグネットと、を有し、
前記固定マグネットと前記挟持マグネットとが衣服を挟んで任意の位置で引き付く、
ことを特徴とするネックレスのズレ防止具。
【請求項３】
請求項１又は２に記載のズレ防止具を備えた、
ことを特徴とするズレ防止ネックレス。
【考案の詳細な説明】
【技術分野】
【０００１】
本考案は、ネックレスが首の周りを移動して位置ズレを生じないように留めるネックレスのズレ防止具およびズレ防止ネックレスに関する。
【背景技術】
【０００２】
ネックレスは、首に着ける装身具（アクセサリー）である。ネックレスは、天然石や金属などを環状に繋げたものであり、正面に装飾品をぶら下げたペンダントなども含まれる。背面側に留金を設けて着脱可能にする場合が多いが、留金がなく環のまま首に掛けるものもある。ただ、首の周りに掛かっているだけで位置を保持している訳ではないので、正面から位置がずれてしまうことが良くある。特許文献１、２に記載されているように、ネックレスの留金から磁石付き挟持片をぶら下げ、襟に挟んで留めるネックレス用固定具の考案も開示されている。
【先行技術文献】
【特許文献】
【０００３】
【特許文献１】実用新案登録第３１４３９３２号公報
【特許文献２】実用新案登録第３１１３６８６号公報
【考案の概要】
【考案が解決しようとする課題】
【０００４】
しかしながら、特許文献１に記載の考案においては、ネックレスチェーンと挟持手段を繋ぐ鎖部に複数の連結環を設けて鎖の長さを調整しているので、鎖を短く連結したときに余計な部分が垂れ下がることになる。また、特許文献２に記載の考案においては、挟持部分が連結部により分離しないが、襟の縁側など挟む位置に制限が掛かってしまう。
【０００５】
そこで、本考案は、ネックレスを身に付けたときに、見た目や着け心地を損なわないで位置ズレを防止することを目的とする。
【課題を解決するための手段】
【０００６】
上記の課題を解決するために、本考案であるネックレスのズレ防止具は、内部にチェーンの一端が任意の位置で係止可能に通され、外部に前記チェーンの他端を掛けるための留金が連結されたスライドアジャスタと、前記スライドアジャスタ内を通された前記チェーンの先端に取り付けられ固定マグネットと、前記固定マグネットに引き付けられる挟持マグネットと、を有し、前記スライドアジャスタから前記固定マグネットまでの長さを調整した上で、前記固定マグネットと前記挟持マグネットとで衣服を挟むことにより、ネックレスの位置がずれないように保持する、ことを特徴とする。
【０００７】
また、本考案であるネックレスのズレ防止具は、チェーンの留具から延設された固定マグネットと、前記固定マグネットと連結されていない挟持マグネットと、を有し、前記固定マグネットと前記挟持マグネットとが衣服を挟んで任意の位置で引き付く、ことを特徴とする。
【０００８】
また、本考案であるズレ防止ネックレスは、前記ズレ防止具を備えた、ことを特徴とする。
【考案の効果】
【０００９】
本考案によれば、ネックレスを身に付けたときに、見た目や着け心地を損なわないで位置ズレを防止することができる。ズレ防止具が小さなマグネットであるため、目立たない上に、襟を折り返した内側で留めることも可能である。なお、マグネット同士が連結されておらず、分離可能であるため、衣類の端側などに制限されずに、任意の位置で留めることができる。また、マグネットを１８金などでメッキ加工すれば、より見た目を良くすることができる。さらに、連結部の長さをスライドアジャスタで調整することにより、無駄にぶら下がる部分を無くし、快適に着けることができる。
【図面の簡単な説明】
【００１０】
【図１】本考案であるズレ防止ネックレスの全体を示す図である。
【図２】本考案であるネックレスのズレ防止具の外した状態を示す図である。
【図３】本考案であるネックレスのズレ防止具の留めた状態を示す図である。
【図４】本考案であるズレ防止ネックレスを身に付けたときの正面側を示す図である。
【図５】本考案であるズレ防止ネックレスを身に付けたときの背面側を示す図である。
【考案を実施するための形態】
【００１１】
以下に、本考案の実施形態について図面を参照して詳細に説明する。なお、同一機能を有するものは同一符号を付け、その繰り返しの説明は省略する場合がある。
【実施例１】
【００１２】
まず、本考案であるネックレスのズレ防止具およびズレ防止ネックレスについて説明する。図１は、ズレ防止ネックレスの全体を示す図である。図２は、ネックレスのズレ防止具の外した状態を示す図である。図３は、ネックレスのズレ防止具の留めた状態を示す図である。
【００１３】
図１に示すように、ネックレス１００は、紐状の両端を結ぶことで環状になるチェーン１１０、チェーン１１０の中間位置に取り付けられるペンダント１２０、チェーン１１０の両端を繋げるための留具２００、ペンダント１２０の位置が常に正面に来るようにチェーン１１０が回転しないように留めるためのズレ防止具３００などを有する。
【００１４】
チェーン１１０は、首の周りに掛けてペンダント１２０等をぶら下げるための首輪である。主に多数の小さな金属等の環を繋げて線状にした鎖であるが、金属以外の物も含み、紐状の輪であれば良い。真珠などの宝石や天然石（パワーストーン）などの数珠にように、小さな珠に孔を空けて複数の珠に糸を通したものでも良い。
【００１５】
ペンダント１２０は、首に掛けたときに正面側に来る宝石や金属などの装飾品である。ペンダント１２０に重さがあれば正面側にぶら下がりやすいが、チェーン１１０の回転に伴い横や背面側に移動してしまう場合がある。なお、ペンダント１２０の無いネックレス１００でも良い。
【００１６】
留具２００は、チェーン１１０が首から外れないように環状を維持するための金具等である。チェーン１１０の両端が背面側に来るとき、一端に環状の留金２１０、他端にフック状の掛金２２０を取り付け、留金２１０に掛金２２０を掛けることで着脱可能に連結しても良い。留具２００にスライドアジャスタ２３０を設けて、チェーン１１０の長さを調整可能にしても良い。
【００１７】
図２に示すように、ズレ防止具３００は、留具２００から延長された連結部３１０、連結部３１０の先端に取り付けられた固定マグネット３２０、固定マグネット３２０に引き付けられる挟持マグネット３３０などを有する。
【００１８】
連結部３１０は、チェーン１１０から延びた鎖などである。留具２００やスライドアジャスタ２３０又はその付近から延設すれば良い。なお、チェーン１１０と別部材でも良いし、チェーン１１０の先端など一部であっても良い。
【００１９】
スライドアジャスタ２３０は、貫通孔の空いた部材で、内部にバネ等の弾性体で押さえる機構を有する。貫通孔にチェーン１１０の一端を通して連結部３１０にしたとき、任意の位置でチェーン１１０を弾性体で押さえることで、連結部３１０の長さを調整可能に係止する。
【００２０】
また、このときチェーン１１０の他端を繋いで環状にするために、スライドアジャスタ２３０の外部に留具２００を備えれば良い。すなわち、スライドアジャスタ２３０に留金２１０を取り付け、チェーン１１０の他端に設けた掛金２２０を留金２１０に着脱させれば良い。
【００２１】
図３に示すように、固定マグネット３２０及び挟持マグネット３３０は、小さな円板などの形状にした永久磁石であり、お互いに磁力で引き寄せられる。固定マグネット３２０と挟持マグネット３３０の少なくとも一方は、連結部３１０に固定される。固定マグネット３２０と挟持マグネット３３０とは連結されないが、お互いに磁力により引き付く。固定マグネット３２０及び挟持マグネット３３０は、表面を金属等で覆っても良いし、さらに１８金などでメッキ加工しても良いし、その他装飾などを施しても良い。
【００２２】
固定マグネット３２０と挟持マグネット３３０の間に襟などの衣服を挟むことにより、チェーン１１０が首の周りを回らないように押さえる。すなわち、ペンダント１２０等が正面側からずれないように位置を保持することができる。
【００２３】
次に、本考案であるズレ防止ネックレスの使用方法について説明する。図４は、ズレ防止ネックレスを身に付けたときの正面側を示す図である。図５は、ズレ防止ネックレスを身に付けたときの背面側を示す図である。
【００２４】
図４に示すように、ネックレス１００を首に掛けたとき、ペンダント１２０が正面側にぶら下がっているとする。チェーン１１０がフリーであると、首の周りを回転してペンダント１２０が左右に動いたり、背面側に行ったりすることもあり得る。
【００２５】
図５に示すように、チェーン１１０から延びた固定マグネット３２０と挟持マグネット３３０とを、その間に衣服を挟み込むようにして、磁力で留める。チェーン１１０が回転しづらくなるので、ペンダント１２０の位置が常に正面側で保持される。
【００２６】
固定マグネット３２０と挟持マグネット３３０を留める位置に応じて、連結部３１０の長さを調整すれば良い。連結部３１０が無駄にぶら下がらないので、見た目や着け心地において邪魔とならない。
【００２７】
チェーン１１０が衣服の外側にあるときは、固定マグネット３２０も衣服の外側にあるので、挟持マグネット３３０は衣服の内側にあれば良い。逆に、チェーン１１０が衣服の内側にあるときは、固定マグネット３２０も衣服の内側にあるので、挟持マグネット３３０は衣服の外側にあれば良い。
【００２８】
襟のように折り返す部分で留めたり、衣類のタグを利用して留めたりすれば、固定マグネット３２０も挟持マグネット３３０も外側から見えないように隠すことができる。固定マグネット３２０と挟持マグネット３３０とが連結されずに分離可能なので、ネックレス１００が衣類の内側にあっても外側にあっても、クリップでは留められないような深いところでも任意の位置で留めることが可能である。
【００２９】
本考案によれば、ネックレスを身に付けたときに、見た目や着け心地を損なわないで位置ズレを防止することができる。ズレ防止具が小さなマグネットであるため、目立たない上に、襟を折り返した内側で留めることも可能である。なお、マグネット同士が連結されておらず、分離可能であるため、衣類の端側などに制限されずに、任意の位置で留めることができる。また、マグネットを１８金などでメッキ加工すれば、より見た目を良くすることができる。さらに、連結部の長さをスライドアジャスタで調整することにより、無駄にぶら下がる部分を無くし、快適に着けることができる。
【００３０】
以上、本考案の実施例を述べたが、これらに限定されるものではない。例えば、既存のネックレスにズレ防止具を後付けしたり、ズレ防止具自体を着脱可能にしたりしても良い。また、マグネットのサイズは任意であるが、小さい方が好ましい。
【符号の説明】
【００３１】
１００：ネックレス
１１０：チェーン
１２０：ペンダント
２００：留具
２１０：留金
２２０：掛金
２３０：スライドアジャスタ
３００：ズレ防止具
３１０：連結部
３２０：固定マグネット
３３０：挟持マグネット
【図１】
0003217061.tif 000003
【図２】
0003217061.tif 000004
【図３】
0003217061.tif 000005
【図４】
0003217061.tif 000006
【図５】
0003217061.tif 000007